(57)【要約】【課題】  筐体を密閉構造とすることなく、筐体の内部を清浄に保つ。【解決手段】  筐体３の内部に、光学ディスク２が装着されるディスク装着部１５と、ディスク装着部１５に装着された光学ディスク２を回転駆動するディスク回転駆動機構１６と、ディスク回転駆動機構１６により回転駆動される光学ディスク２に対して信号の書き込み及び／又は読み出しを行う光学ピックアップ１７と、光学ピックアップ１７を光学ディスク２の半径方向に送り動作させるピックアップ送り機構１８とを備え、筐体３は、ディスク装着部１５に装着された光学ディスク２よりも上方に位置して、当該光学ディスク２の回転により生じる空気流によって、外部の空気が吸入される吸気口４１と、内部の空気が排出される排気口４２とを有する。【選択図】  図２
2005243126.tif 000002
【特許請求の範囲】
【請求項１】
筐体の内部に、光学ディスクが装着されるディスク装着部と、
上記ディスク装着部に装着された光学ディスクを回転駆動するディスク回転駆動機構と、
上記ディスク回転駆動機構により回転駆動される光学ディスクに対して信号の書き込み及び／又は読み出しを行う光学ピックアップと、
上記光学ピックアップを光学ディスクの半径方向に送り動作させるピックアップ送り機構とを備え、
上記筐体は、上記ディスク装着部に装着された光学ディスクよりも上方に位置して、当該光学ディスクの回転により生じる空気流によって、外部の空気が吸入される吸気口と、内部の空気が排出される排気口とを有することを特徴とするディスクドライブ装置。
【請求項２】
上記吸気口及び／又は上記排気口は、上記筐体の上記ディスク装着部と対向する天板に設けられていることを特徴とする請求項１記載のディスクドライブ装置。
【請求項３】
上記吸気口は、上記天板の上記ディスク装着部に臨む位置に設けられていることを特徴とする請求項２記載のディスクドライブ装置。
【請求項４】
上記吸気口は、上記天板の端面中央部付近に設けられていることを特徴とする請求項２記載のディスクドライブ装置。
【請求項５】
上記吸気口を覆う防塵フィルタが設けられていることを特徴とする請求項１記載のディスクドライブ装置。
【請求項６】
上記防塵フィルタを補強する補強材が設けられていることを特徴とする請求項５記載のディスクドライブ装置。
【請求項７】
上記排気口は、上記天板のコーナ部付近に設けられていることを特徴とする請求項２記載のディスクドライブ装置。
【請求項８】
上記排気口は、上記天板の端面中央部を挟んだ両側のコーナー部から当該端面中央部に向かって複数並んで設けられており、これら複数の排気口は、各コーナー部から端面中央部に向かって開口面積が段階的に小さくなるように形成されていることを特徴とする請求項７記載のディスクドライブ装置。
【請求項９】
上記筐体は、前面及び上面を開口部とする略扁平箱状の下部筐体と、上記下部筐体の上面開口部を閉塞する天板と、上記下部筐体の前面開口部を閉塞する前面パネルとを有し、
上記吸気口及び／又は上記排気口は、上記天板と上記前面パネルとの間に形成された隙間であることを特徴とする請求項１記載のディスクドライブ装置。
【請求項１０】
上記吸気口は、上記天板と上記前面パネルとの間の中央部付近に設けられた隙間であることを特徴とする請求項９記載のディスクドライブ装置。
【請求項１１】
上記排気口は、上記天板と上記前面パネルとの間のコーナー部付近に設けられた隙間であることを特徴とする請求項９記載のディスクドライブ装置。
【請求項１２】
上記前面パネルの背面側には、上記隙間を形成する第１の溝部が設けられていること請求項９記載のディスクドライブ装置。
【請求項１３】
上記前面パネルの背面側には、上記ディスク装着部に装着された光学ディスクを挟んで上記光学ピックアップが配置される側と、それとは反対側の上記排気口となる隙間を形成する第１の溝部との間を連通させる第２の溝部が設けられていることを特徴とする請求項１２記載のディスクドライブ装置。
【請求項１４】
上記第２の溝部は、上記ディスク装着部に装着された光学ディスクを挟んで上記光学ピックアップが配置される側のコーナー部付近と、上記天板と上記前面パネルとの間のコーナー部付近に設けられた上記排気口となる隙間を形成する第１の溝部との間を連通させることを特徴とする請求項１３記載のディスクドライブ装置。
【請求項１５】
上記第２の溝部は、上記ディスク装着部に装着された光学ディスクを挟んで上記光学ピックアップが配置される側の中央付近と、上記天板と上記前面パネルとの間のコーナー部付近に設けられた上記排気口となる隙間を形成する第１の溝部との間を連通させることを特徴とする請求項１３記載のディスクドライブ装置。
【請求項１６】
上記筐体は、前面及び上面を開口部とする略扁平箱状の下部筐体と、上記下部筐体の上面開口部を閉塞する天板と、上記下部筐体の前面開口部を閉塞する前面パネルとを有し、
上記吸気口及び／又は上記排気口は、上記下部筐体の側壁に設けられていることを特徴とする請求項１記載のディスクドライブ装置。
【請求項１７】
上記吸気口は、上記側壁の中央部付近に設けられていることを特徴とする請求項１６記載のディスクドライブ装置。
【請求項１８】
上記排気口は、上記側壁のコーナー部付近に設けられていることを特徴とする請求項１６記載のディスクドライブ装置。
【発明の詳細な説明】
【技術分野】
【０００１】
本発明は、光ディスクや光磁気ディスク等の光学ディスクに対して情報信号の記録及び／又は再生を行うディスクドライブ装置に関する。
【背景技術】
【０００２】
従来よりＣＤ(Compact Disk)やＤＶＤ(Digital Versatile Disk)、光磁気ディスクといった光学ディスクが広く知られており、これら光学ディスクに対応した各種のディスクドライブ装置が登場している。
【０００３】
例えば図１４に示すように、光ディスク２００に対して情報信号の記録又は再生を行うディスクドライブ装置２０１は、筐体２０２と、この筐体２０２の前面に設けられたトレイ出入口２０２ａから水平方向に出し入れされるディスクトレイ２０３と、このディスクトレイ２０３に取り付けられたベースユニット２０４とを備えている。
【０００４】
筐体２０２は、略扁平箱状に形成された下部筐体２０５に、その上面開口部を閉塞する天板２０６が取り付けられた構造を有している。また、筐体２０２の前面は、上記トレイ出入口２０２ａとして開放されている。
【０００５】
ディスクトレイ２０３は、トレイ出入口２０２ａから筐体２０２の内部へと引き込まれて収納される収納位置と、トレイ出入口２０２ａから筐体２０２の外部へと引き出される引出位置との間でスライド可能に取り付けられている。このディスクトレイ２０３の上面部には、光ディスク２に対応した形状の凹部２０７が設けられており、この凹部２０７の底面部には、ディスクトレイ２０３の下面に取り付けられたベースユニット２０４を上方へと臨ませる開口部２０８が形成されている。また、ディスクトレイ２０３の前面には、筐体２０２のトレイ出入口２０２ａを開閉する前面パネル２０９が取り付けられている。
【０００６】
ベースユニット２０４は、図１５に示すように、光ディスク２００を回転駆動するディスク回転駆動機構２１０と、このディスク回転駆動機構２１０により回転駆動される光ディスク２００に対して信号の書き込み又は読み出し動作を行う光学ピックアップ２１１と、この光学ピックアップ２１１を光ディスク２００の半径方向に送り動作させるピックアップ送り機構２１２とを備え、これらがベース２１３に取り付けられた構造を有している。
【０００７】
ディスク回転駆動機構２１０は、光ディスク２００を保持するターンテーブル２１４が設けられた扁平状のスピンドルモータ２１５を有しており、このスピンドルモータ２１５が光ディスク２００をターンテーブル２１４と一体に回転駆動する。
【０００８】
光学ピックアップ２１１は、半導体レーザから出射された光ビームを対物レンズ２１１ａにより集光させて光ディスク２００の信号記録面に照射し、この光ディスク２００の信号記録面で反射された戻りの光ビームを光検出器で検出することによって、光ディスク２００に対して信号の書き込み又は読み出しを行う。
【０００９】
ピックアップ送り機構２１２は、光学ピックアップ２１１を光ディスク２００の半径方向に移動可能に支持する一対のガイド軸２１５ａ，２１５ｂと、光学ピックアップ２１１に取り付けられたラック部材２１６と、このラック部材２１６と噛合されるリードスクリュー２１７と、このリードスクリュー２１７を回転駆動するステッピングモータ２１８とを有しており、このステッピングモータ２１８がリードスクリュー２１７を回転駆動しながら、リードスクリュー２１７と噛合されたラック部材２１６を光学ピックアップ２１１と共に光ディスク２００の半径方向に変位駆動する。
【００１０】
ベース２１３には、ターンテーブル２１４が臨むテーブル用開口部２１９ａと光学ピックアップ２１１が臨むピックアップ用開口部２１９ｂとが連続して形成されており、これら開口部２１９ａ，２１９ｂからターンテーブル２１４及び光学ピックアップ２１１が臨む側の主面とは反対側の主面に、スピンドルモータ２１５や、一対のガイド軸２１５ａ，２１５ｂの両端部、リードスクリュー２１７、ステッピングモータ２１８等が取り付けられている。
【００１１】
以上のように構成されるディスクドライブ装置２０１では、ディスクトレイ２０３が筐体２０２に収納された状態において、ターンテーブル２１４に保持された光ディスク２００をスピンドルモータ２１５が回転駆動し、ピックアップ送り機構２１２が光学ピックアップ２１１を光ディスク２００の半径方向に送り動作しながら、光学ピックアップ２１１が光ディスク２００に対して信号の書き込み又は読み出し動作を行う。
【００１２】
ところで、上述したディスクドライブ装置２０１では、筐体２０２の内部で光ディスク２００が回転すると、この光ディスク２００の回転によって空気流が発生する。この光ディスク２００の回転によって生じる空気流は、外部の空気を吸引するポンプ的な作用を生じさせる。このため、ディスクドライブ装置２０１では、外部の空気が筐体２０２の内部に侵入し、この外部の空気に含まれる塵埃等によって光学ピックアップ２１１等が汚損されてしまうといった問題があった。
【００１３】
具体的に、ディスクドライブ装置２０１では、光学ピックアップ２１１の対物レンズ２１１ａ等に塵埃等が付着すると、この対物レンズ２１１ａに付着した塵埃等の影響によって、光ディスク２００に対する適切な記録又は再生動作を行うことができなくなる。
【００１４】
一方、ディスクドライブ装置２０１では、塵埃等を含んだ外部の空気が筐体２０２内に侵入することを防ぐため、例えば筐体２０２を密閉構造とすることが考えられる。しかしながら、筐体２０２を密封構造した場合には、筐体内の負圧が高まることによって、天板２０６が凹んだり、或いは凹んだ天板２０６と光ディスク２００とが衝突するといった問題が発生してしまう。
【００１５】
また、ディスクドライブ装置２０１では、光ディスク２００に対する書き込み速度を上げるため、光ディスク２００の回転数を上げることが行われている。しかしながら、ディスクドライブ装置２０１では、光ディスク２００の回転数を上げると、この光ディスク２００の回転により生じる空気流が大きくなり、上述した外部の空気を吸引する吸引力も増すことになる。
【００１６】
この場合、筐体２０２の微小な隙間からは拡散や局所的な圧力低下によって外部の空気が侵入し、この空気に含まれる塵埃等が外部に排出されずに筐体２０２の内部に蓄積されることになる。これにより、ディスクドライブ装置２０１では、比較的短期間に筐体内の清浄レベルが低下するといった問題が発生してしまう。
【００１７】
なお、本発明に関連する公知文献としては、例えば下記に示す特許文献１がある。
【００１８】
特許文献１には、光学ピックアップが搭載されたベースの両面をカバーで覆う構造が記載されているが、このようなカバーを設けた場合であっても、外部から侵入した空気に含まれる塵埃等によって光学ピックアップが汚損されるのを防ぐことは困難である。
【００１９】
【特許文献１】特開平１１−２９６８６６号公報
【発明の開示】
【発明が解決しようとする課題】
【００２０】
そこで、本発明は、このような従来の事情に鑑みて提案されたものであり、筐体を密閉構造とすることなく、筐体内を清浄に保つことを可能としたディスクドライブ装置を提供することを目的とする。
【課題を解決するための手段】
【００２１】
この目的を達成するために、本発明に係るディスクドライブ装置は、筐体の内部に、光学ディスクが装着されるディスク装着部と、ディスク装着部に装着された光学ディスクを回転駆動するディスク回転駆動機構と、ディスク回転駆動機構により回転駆動される光学ディスクに対して信号の書き込み及び／又は読み出しを行う光学ピックアップと、光学ピックアップを光学ディスクの半径方向に送り動作させるピックアップ送り機構とを備え、筐体は、ディスク装着部に装着された光学ディスクよりも上方に位置して、当該光学ディスクの回転により生じる空気流によって、外部の空気が吸入される吸気口と、内部の空気が排出される排気口とを有することを特徴としている。
【発明の効果】
【００２２】
以上のように、本発明に係るディスクドライブ装置では、光学ディスクの回転により生じる空気流によって、筐体のディスク装着部に装着された光学ディスクよりも上方に位置する吸気口から外部の空気が吸入され、この外部の空気が筐体の光学ディスクを挟んで光学ピックアップが配置された側とは反対側の内部空間を通って、筐体のディスク装着部に装着された光学ディスクよりも上方に設けられた排気口から排出される。
【００２３】
これにより、ディスクドライブ装置では、外部の空気に含まれる塵埃等が筐体のディスク装着部に装着された光学ディスクを挟んで光学ピックアップが配置される側の内部空間に侵入するのを防ぐと共に、この外部の空気に含まれる塵埃等を筐体の内部に蓄積させることなく、筐体の外部へと効率よく排出することができる。
【００２４】
したがって、このディスクドライブ装置では、筐体を密閉構造とすることなく、外部の空気に含まれる塵埃等によって筐体の内部が汚損されることを防止しながら、この筐体の内部を長期に亘って清浄に保つことが可能である。
【発明を実施するための最良の形態】
【００２５】
以下、本発明を適用したディスクドライブ装置について、図面を参照しながら詳細に説明する。
【００２６】
図１及び図２に示すように、本発明を適用したディスクドライブ装置１は、例えばノート型パーソナルコンピュータ１００の装置本体１０１に搭載される超薄型のディスクドライブユニットである。このディスクドライブ装置１は、例えばハードディスクドライブ（ＨＤＤ）ユニットと同等の厚みである９．５ｍｍ程度にまで装置全体が薄型化された構造を有しており、ＣＤ(Compact Disk)やＤＶＤ(Digital Versatile Disk)といった光ディスク２に対して情報信号の記録又は再生を行うことが可能となっている。
【００２７】
具体的に、このディスクドライブ装置１は、図３及び図４に示すように、筐体３と、この筐体３の前面に設けられたトレイ出入口３ａから水平方向に出し入れされるディスクトレイ４と、このディスクトレイ４に取り付けられたドライブ本体となるベースユニット５とを備えている。
【００２８】
筐体３は、全体が略扁平箱状に形成された板金からなる下部筐体６に、その上部開口部を閉塞するように同じく板金からなる天板７がネジ止めによって取り付けられた構造を有している。具体的に、下部筐体６の底面部は、略矩形状であり、下部筐体６の一方の側面部には、底面部よりも底上げされて外側へと張り出したデッキ部が設けられている。天板７は、この下部筐体６の上部開口部を閉塞する天井部と、この天井部の周囲が下部筐体６の両側面に沿って僅かに折り曲げられた一対の側板部とを有している。そして、この下部筐体６と天板７とから構成される筐体３の内部には、ディストレイ４を収納するための収納空間が形成されており、その前面が上記トレイ出入口３ａとして開放されている。
【００２９】
ディスクトレイ４は、全体が略矩形扁平状に形成された樹脂成形材料からなり、その上面部には、光ディスク２に対応した形状の凹部８が設けられている。この凹部８の底面部には、ディスクトレイ４の下面に取り付けられたベースユニット５を上方へと臨ませる開口部９が形成されている。また、この開口部９から上方に臨むベースユニット５には、開口部９ａを覆う化粧板１０が取り付けられている。この化粧板１０には、後述するベースユニット５のターンテーブル１５ａ及び光学ピックアップ１７の対物レンズ１７ａを上方へと臨ませる開口部２２ａ，２２ｂに対応した開口部１０ａが形成されている。
【００３０】
このディスクトレイ４は、その両側面と下部筐体６の内側面との間に介在されるガイドレール機構１１によって、図２に示すトレイ出入口３ａから筐体３の内部へと引き込まれて収納される収納位置と、図３に示すトレイ出入口３ａから筐体３の外部へと引き出される引出位置との間でスライド可能に支持されている。
【００３１】
このディスクトレイ４の前面には、筐体３のトレイ出入口３ａを開閉する略矩形平板状の前面パネル１２が取り付けられている。また、この前面パネル１２の前面には、光ディスク２に対するアクセス状態を点灯表示する表示部１３と、ディスクトレイ４をイジェクトする際に押圧されるイジェクト釦１４とが設けられている。
【００３２】
なお、このディスクトレイ４は、筐体３に収納された際にロック機構（図示せず。）によって前面側へのスライドが係止される。そして、この状態からイジェクト釦１４が押圧されると、ロック機構による係止状態が解除されることによって、ディスクトレイ４がトレイ出入口３ａから前面側へと押し出される。これにより、ディスクトレイ４をトレイ出入口３ａから引出位置へと引き出すことが可能となっている。一方、ディスクトレイ４を筐体３の収納位置へと押し込むことによって、再びロック機構による前面側へのスライドが係止されることになる。
【００３３】
ベースユニット５は、図５及び図６に示すように、光ディスク２が装着されるディスク装着部１５と、このディスク装着部１５に装着された光ディスク２を回転駆動するディスク回転駆動機構１６と、このディスク回転駆動機構１６により回転駆動される光ディスク２に対して信号の書き込み又は読み出しを行う光学ピックアップ１７と、この光学ピックアップ１７を光ディスク２の半径方向に送り動作させるピックアップ送り機構１８とを備え、これらがベース１９の下面に取り付けられた超薄型構造を有している。
【００３４】
ベース１９は、板金を所定の形状に打ち抜き、その周囲を僅かに下方に折り曲げて形成されている。また、下方に折り曲げられたベース１９の端縁部からは、３つのインシュレータ取付部２０が外側に向かって折り曲げ形成されている。各インシュレータ取付部２０には、振動等を吸収するためのゴム等の弾性部材からなるインシュレータ２１が取り付けられている。ベース１９は、これらインシュレータ２１を介してディスクトレイ４の下面に固定支持されている。また、ベース１９の主面には、後述するターンテーブル１５ａを上方へと臨ませる略半円状のテーブル用開口部２２ａと、光学ピックアップ１７の対物レンズ１７ａを上方へと臨ませる略矩形状のピックアップ用開口部２２ｂとが連続して形成されている。
【００３５】
ディスク装着部１５は、ディスク回転駆動機構１６により回転駆動されるターンテーブル１５ａを有し、このターンテーブル１５ａの中心部には、光ディスク２を装着するためのチャッキング機構２３が設けられている。このチャッキング機構２３は、光ディスク２の中心孔２ａに係合される係合突部２３ａと、この係合突部２３ａに係合された光ディスク２の中心孔２ａの周囲を係止する複数の係止爪２３ｂとを有し、ターンテーブル１５ａに装着された光ディスク２のセンタリングを行いながら、この光ディスク２をターンテーブル１５ａ上に保持する。
【００３６】
ディスク回転駆動機構１６は、光ディスク２を保持するターンテーブル１５ａが上面に一体に設けられた扁平状のスピンドルモータ１６ａを有し、このスピンドルモータ１６ａにより光ディスク２をターンテーブル１５ａと一体に回転駆動する。また、スピンドルモータ１６ａは、回路基板２４に支持されており、この回路基板２４は、ターンテーブル１５ａがベース１９のテーブル用開口部２２ａからベース２２の上面よりも僅かに突出するように、スペーサ部材２５を介してベース１９の下面に複数のネジ２６により取り付けられている。
【００３７】
光学ピックアップ１７は、光源となる半導体レーザから出射された光ビームを対物レンズ１７ａにより集光させて光ディスク２の信号記録面に照射し、この光ディスク２の信号記録面で反射された戻りの光ビームを受光素子で検出することによって、光ディスク２に対する信号の書き込み又は読み出しを行う。
【００３８】
また、この光学ピックアップ１７は、対物レンズ１７ａを当該対物レンズ１７ａの光軸方向（フォーカッシング方向）と当該対物レンズ１７ａの光軸方向と直交する方向（トラッキング方向）とに変位駆動する２軸アクチュエータ（図示せず。）を有している。そして、この光学ピックアップ１７では、上述した受光素子により検出された光ディスク２からの検出信号に基づいて、２軸アクチュエータにより対物レンズ１７ａをフォーカッシング方向及びトラッキング方向に変位させながら、光ディスク２の信号記録面上に対物レンズ１７ａの焦点を合わせるフォーカスサーボや、対物レンズ１７ａにより集光される光ビームのスポットを記録トラックに追従させるトラッキングサーボ等の駆動制御を行っている。
【００３９】
ピックアップ送り機構１８は、光学ピックアップ１７の各構成部品が搭載されたピックアップベース２７と、このピックアップベース２７を光ディスク２の半径方向にスライド可能に支持する一対のガイド軸２８ａ，２８ｂと、これら一対のガイド軸２８ａ，２８ｂに支持されたピックアップベース２７を光ディスク２の半径方向に変位駆動する変位駆動機構２９とを有している。
【００４０】
ピックアップベース２７には、一対のガイド軸２８ａ，２８ｂのうち、一方のガイド軸２８ａを挿通するガイド孔３０ａが形成された一対のガイド片３０と、他方のガイド軸２８ｂを挟み込むガイド溝３１ａが形成されたガイド片３１とが互いに対向する側面から逆向きに突出形成されている。これにより、ピックアップベース２７は、一対のガイド軸２８ａ，２８ｂにスライド可能に支持されている。
【００４１】
一対のガイド軸２８ａ，２８ｂは、ベース１９の下面に位置して、光ディスク２の半径方向と互いに平行となるように配置されており、ベース１９のピックアップ用開口部２２ｂに臨むピックアップベース２７を光ディスク２の内外周に亘って案内する。また、これら一対のガイド軸２８ａ，２８ｂの両端部は、それぞれベース１９の下面にスキュー調整機構３１を介して取り付けられている。
【００４２】
このスキュー調整機構３１は、一対のガイド軸２８ａ，２９ｂの両端部をベース１９の主面と直交する方向に移動可能に支持しており、各ガイド軸２８ａ，２８ｂの端部が支持される位置を調整ネジ３１ａにより調節しながら、光学ピックアップ１７の対物レンズ１７ａにより集光される光ビームが光ディスク２の信号記録面に垂直に照射されるように、各ガイド軸２８ａ，２８ｂの傾きを調整可能としている。
【００４３】
変位駆動機構２９は、図７に示すように、ピックアップベース２７に取り付けられたラック部材３２と、このラック部材３２と噛合される送りネジ３３と、この送りネジ３３を回転駆動する駆動モータ３４とを有している。
【００４４】
ラック部材３２は、その基端側がピックアップベース２７の一対のガイド片３０の間に位置してネジ止めにより取り付けられ、その先端側に一方のガイド軸２８ａと平行に配置された送りネジ３３と噛合されるラック部３２ａが一体に形成されている。送りネジ３３は、駆動モータ３４の駆動軸と一体に形成されており、その外周面には、上記ラック部材３２のラック部３２ａが噛合される螺旋状のリードスクリュー３３ａが形成されている。駆動モータ３４は、いわゆるステッピングモータであり、駆動パルスに応じて送りネジ３３を回転駆動する。また、これら送りネジ３３及び駆動モータ３４は、ベース１９の下面にネジ止めによって取り付けられたブラケット３５に支持されている。このブラケット３５は、長尺状の板金の両端部が同一方向に直角に折り曲げられた形状を有しており、その折り曲げられた一端側に送りネジ３３を貫通させた状態で駆動モータ３４が固定される一方、他端に設けられた軸孔に送りネジ３３の先端が軸支されることによって、送りネジ３３を回転可能に支持している。
【００４５】
そして、この変位駆動機構２９は、駆動モータ３４が送りネジ３３を回転駆動しながら、リードスクリュー３３ａとラック部３２ａとの噛合によりラック部材３２を送りネジ３３の軸線方向に変位させることによって、一対のガイド軸２８ａ，２８ｂに支持されたピックアップベース２７を光ディスク２の半径方向に変位駆動する。
【００４６】
以上のように構成されるディスクドライブ装置１では、光ディスク２を保持するディスクトレイ４が筐体３に収納された状態において、上記パーソナルコンピュータ１００から記録又は再生の指令が送られると、この指令に基づいて、光ディスク２に対する情報信号の記録又は再生が行われる。具体的には、ディスク回転駆動機構１５が光ディスク２を回転駆動し、ピックアップ送り機構１８が光学ピックアップ１７を光ディスク２の半径方向に送り動作しながら、光学ピックアップ１７が光ディスク２に対して信号の書き込み又は読み出し動作を行う。
【００４７】
ところで、上述したディスクドライブ装置１では、光ディスク２の回転により生じる空気流によって、筐体３の内部圧力が外部と比べて低くなる部分と、筐体３の内部圧力が外部と比べて高くなる部分とが発生する。具体的に、このディスクドライブ装置１では、図８に模式的に示すように、光ディスク２の回転により生じる空気流によって、筐体３の光ディスク２の回転中心付近Ｓ１及び筐体３の端面中央付近Ｓ２，Ｓ３，Ｓ４，Ｓ５が負圧となる一方、筐体３のコーナー部付近Ｓ６，Ｓ７，Ｓ８，Ｓ９が正圧となる。
【００４８】
そこで、本発明を適用したディスクドライブ装置１では、このような筐体３の負圧発生部分に外部の空気が吸入される吸気口４１を設け、正圧発生部分に内部の空気が排出される排気口４２を設けることによって、この吸気口４１から排気口４２に向かう空気の流れを良好なものとし、筐体３を密閉構造とすることなく、筐体３の内部を清浄に保つことを可能としている。
【００４９】
さらに、このディスクドライブ装置１では、筐体３のターンテーブル１５ａに装着された光ディスク２を挟んで光学ピックアップ１７が配置される側の内部空間に外部の空気が流入することを防ぐため、このターンテーブル１５ａに装着された光ディスク２よりも上方に位置するように吸気口４１と排気口４２とが設けられている。すなわち、この筐体３には、ターンテーブル１５ａに装着された光ディスク２を挟んで光学ピックアップ１７が配置される側とは反対側の内部空間に臨む吸気口４１と排気口４２とが設けられている。
【００５０】
このように、ディスクドライブ装置１では、光学ピックアップ１７側への外部空気の流入を防止することによって、この外部の空気に含まれる塵埃等によって光学ピックアップ１７等が汚損されることを防止している。
【００５１】
具体的に、この筐体３には、図２，図８及び図９に示すように、天板６のターンテーブル１５ａに装着された光ディスク２の回転中心付近Ｓ１に位置して、外部の空気が吸入される吸気口４１と、天板６と前面パネル１２との間のコーナー部付近Ｓ６，Ｓ９に位置して、内部の空気が排出される排気口４２とが設けられている。
【００５２】
吸気口４１は、天板７の略中央部、すなわち天板７のターンテーブル１５ａに臨む位置に形成された略部分円形状の孔部である。また、天板７の略中央部には、この吸気口４１を覆う防塵フィルタ４３が設けられている。
【００５３】
防塵フィルタ４３は、吸気口４１から吸引される外部の空気に含まれる塵埃を捕集するためのものであり、例えば不織布や紙等からなる。また、防塵フィルタ４３には、吸気口４１からの吸引力による変形を防ぐための補強材４４が設けられている。
【００５４】
補強材４４は、プラスチックフィルム等からなり、吸気口４１を覆うように天板７の上面に貼り付けられている。また、補強部材４４の吸気口４１に臨む位置には、吸気口４１を十字状に跨ぐ支持片４４ａと、この支持片４４ａによって４分割された開口部４４ｂとが形成されている。そして、防塵フィルタ４３は、この補強材４４の上に貼り付けられている。
【００５５】
これにより、防塵フィルタ４３は、吸気口４１上で補強材４４の支持片４４ａにより支持された状態となり、この吸気口４１からの吸引力によって変形しないよう補強がなされている。なお、補強材４４は、このような形状に必ずしも限定されるものではなく、防塵フィルタ４３を支持し且つ吸気口４１を塞がない形状であれば、支持片４４ａ及び開口部４４ｂを別の形状とすることも可能である。
【００５６】
排気口４２は、天板６と前面パネル１２との間に形成された隙間であり、前面パネル１２の背面側には、図９，図１０及び図１１に示すように、この排気口４２となる隙間を形成する第１の溝部４５が設けられている。この第１の溝部４５は、前面パネル１２の中央部を挟んだ両側のコーナー部から当該中央部に向かって天板７側の端面を水平方向に切り欠くことで形成されている。
【００５７】
また、前面パネル１２の背面側には、ターンテーブル１５ａに装着された光ディスク２を挟んで光学ピックアップ１７が配置される側のコーナー部付近Ｓ６，Ｓ９の内部空間と、上記第１の溝部４５との間を連通させる第２の溝部４６が設けられている。この第２の溝部２６は、前面パネル１２の中央部を挟んだ両側に一対配置され、この前面パネル１２の背面を垂直方向に切り欠くことで形成されている。
【００５８】
以上のように構成されるディスクドライブ装置１では、図９に示すように、光ディスク２の回転により生じる空気流によって、外部の空気Ａ１が吸気口４１から筐体３の内部に吸入されると、この外部の空気Ａ１が筐体３の光ディスク２を挟んで光学ピックアップ１７が配置された側とは反対側の内部空間を通って、排気口４２から筐体３の外部へと排出される。
【００５９】
また、このディスクドライブ装置１では、光ディスク２を挟んで光学ピックアップ１７が配置された側の内部空間における空気Ａ２も、第２の溝部４６から第１の溝部４５を通って、排気口４２から筐体３の外部へと排出される。
【００６０】
これにより、ディスクドライブ装置１では、外部の空気Ａ１に含まれる塵埃等が筐体３の光ディスク２を挟んで光学ピックアップ１７が配置される側の内部空間に侵入するのを防ぐと共に、この外部の空気Ａ１に含まれる塵埃等を筐体３の内部に蓄積させることなく、光ディスク２上を流れる空気流に乗せて、筐体３の外部へと効率良く排出することができる。
【００６１】
したがって、このディスクドライブ装置１では、外部の空気Ａ１に含まれる塵埃等によって光学ピックアップ１７等が汚損されることを防ぐと共に、筐体３を密閉構造とすることなく、この筐体３の内部を長期に亘って清浄に保つことが可能である。
【００６２】
また、このディスクドライブ装置１では、防塵フィルタ４３によって外部の空気に含まれる塵埃等が吸気口４１から筐体３の内部に吸い込まれることを未然に防ぐことが可能である。したがって、このディスクドライブ装置１では、防塵フィルタ４３により清浄化された外部の空気Ａ１を吸気口４１から筐体３の内部に供給することによって、この筐体３の内部を更に清浄に保つことが可能である。
【００６３】
なお、上記ディスクドライブ装置１では、前面パネル１２の背面側に図１１に示す第２の溝部４６を設けた構成となっているが、このような構成に限らず、例えば前面パネル１２の背面側に図１２に示す第２の溝部４７を設けた構成とすることも可能である。
【００６４】
具体的に、第２の溝部４７は、前面パネル１２の中央部を挟んだ両側に一対配置され、下部筐体６側の端面中央部から上記第１の溝部４５の内側の端部に向かって前面パネル１２の背面を斜め方向に切り欠くことで形成されている。
【００６５】
これにより、第２の溝部４７は、ターンテーブル１５ａに装着された光ディスク２を挟んで光学ピックアップ１７が配置される側の中央部付近Ｓ１の内部空間と、上記第１の溝部４５との間を連通することになる。したがって、このディスクドライブ装置１では、光ディスク２を挟んで光学ピックアップ１７が配置された側の内部空間における空気Ａ２が、第２の溝部４７から第１の溝部４５を通って、排気口４２から筐体３の外部へと強制的に排出されることになる。以上のようにして、外部の空気Ａ１に含まれる塵埃等が筐体３の光ディスク２を挟んで光学ピックアップ１７が配置される側の内部空間に侵入するのを防ぐことが可能である。
【００６６】
また、本発明を適用したディスクドライブ装置１は、上述した構成に必ずしも限定されるものではなく、例えば図１３に示す構成とすることも可能である。
【００６７】
すなわち、図１３に示すディスクドライブ装置１には、天板７の前面パネル１２側の端面中央部を挟んだ両側のコーナー部から当該端面中央部に向かって複数の排気口４２ａ，４２ｂ，４２ｃが並んで設けられている。
【００６８】
これら複数の排気口４２ａ，４２ｂ，４２ｃは、その並び方向に対して平行な横長のスリットを形成している。また、これら複数の排気口４２ａ，４２ｂ，４２ｃは、各コーナー部から端面中央部に向かって負圧が低下するのに合わせて、その開口面積が段階的に小さくなるように、すなわちその長さが短くなるように形成されている。
【００６９】
この場合、光ディスク２の回転により生じる空気流によって、外部の空気Ａ１が吸気口４１から筐体３の内部に吸入されると、この外部の空気Ａ１が筐体３の光ディスク２を挟んで光学ピックアップ１７が配置された側とは反対側の内部空間を通って、複数の排気口４２ａ，４２ｂ，４２ｃから筐体３の外部に排出されることになる。
【００７０】
したがって、このディスクドライブ装置１では、外部の空気Ａ１に含まれる塵埃等が筐体３の光ディスク２を挟んで光学ピックアップ１７が配置される側の内部空間に侵入するのを防ぐと共に、この外部の空気Ａ１に含まれる塵埃等を筐体３の内部に蓄積させることなく、光ディスク２上を流れる空気流に乗せて筐体３の外部へと効率良く排出することが可能である。
【００７１】
なお、上記ディスクドライブ装置１では、筐体３の吸気口４１から排気口４２に向かう空気の流れを良好なものとするため、正圧発生部分、すなわち天板７の側面側や背面側のコーナー部付近Ｓ６，Ｓ７，Ｓ８，Ｓ９や、下部筐体６の側壁のコーナー部付近Ｓ６，Ｓ７，Ｓ８，Ｓ９等に排気口４２を設けたり、或いは天板７と下部筐体６との間のコーナー部付近Ｓ６，Ｓ７，Ｓ８，Ｓ９に排気口４２となる隙間を設けたりすることも可能である。
【００７２】
例えば図１３に示すディスクドライブ装置１には、上述した天板６の前面側に設けられた排気口４２ａ，４２ｂ，４２ｃの他にも、天板７の背面側において端面中央部を挟んだ両側のコーナー部から当該端面中央部に向かって複数の排気口４２ａ，４２ｂ，４２ｃが並んで設けられている。これら複数の排気口４２ａ，４２ｂ，４２ｃは、並び方向に対して垂直な縦長のスリットを形成している。また、これら複数の排気口４２ａ，４２ｂ，４２ｃは、各コーナー部から端面中央部に向かって負圧が低下するのに合わせて、その開口面積が段階的に小さくなるように、すなわちその長さが短くなるように形成されている。
【００７３】
また、このディスクドライブ装置１には、天板７の両側面の端面中央部を挟んだ両側のコーナー部から当該端面中央部に向かって横長或いは縦長の排気口４２ａ，４２ｂ，４２ｃが複数並んで設けられている。
【００７４】
さらに、このディスクドライブ装置１には、下部筐体６の側壁において、上述した天板７に設けられた縦長の排気口４２と連続するスリットを形成する排気口４２が設けられている。
【００７５】
ディスクドライブ装置１では、このような排気口４２の配置やその開口面積を調整することで、上述した筐体３の吸気口４１から排気口４２に向かう空気の流れを良好なものとすることが可能である。
【００７６】
なお、上記ディスクドライブ装置１では、筐体３の内部を流れる空気の流れをコントロールするため、場合によっては、負圧発生部分、すなわち天板７の端面中央付近Ｓ２，Ｓ３，Ｓ４，Ｓ５や、下部筐体６の側壁の端面中央付近Ｓ２，Ｓ３，Ｓ４，Ｓ５に吸気口４１を設けたり、或いは天板７と前面パネル１２との間の中央部付近Ｓ２，Ｓ３，Ｓ４，Ｓ５に吸気口４１となる隙間を設けたりすることも可能である。
【産業上の利用可能性】
【００７７】
なお、本発明は、上述したトレイ型のディスクドライブ装置１に限らず、筐体の前面に設けられたディスク挿脱口から光学ディスクが挿脱されるスロットイン型のディスクドライブ装置にも適用可能である。
【図面の簡単な説明】
【００７８】
【図１】本発明を適用したディスクドライブ装置が搭載されたノート型パーソナルコンピュータを示す斜視図である。
【図２】上記ディスクドライブ装置のディスクトレイが収納された状態を示す斜視図である。
【図３】上記ディスクドライブ装置のディスクトレイが引き出された状態を示す斜視図である。
【図４】上記ディスクドライブ装置の構成を示す分解斜視図である。
【図５】ベースユニットを上面側から見た斜視図である。
【図６】ベースユニットを底面側から見た斜視図である。
【図７】ピックアップ送り機構の構成を示す平面図である。
【図８】上記ディスクドライブ装置の筐体内における圧力発生分布を模式的に示す平面図である。
【図９】上記ディスクドライブ装置の筐体内における空気の流れを模式的に示す断面図である。
【図１０】前面パネルを背面側から見た斜視図である。
【図１１】前面パネルの構成を模式的に示す背面図である。
【図１２】前面パネルの別の構成を模式的に示す背面図である。
【図１３】上記ディスクドライブ装置の別の構成を示す斜視図である。
【図１４】従来のディスクドライブ装置の構成を示す斜視図である。
【図１５】上記従来のディスクドライブ装置のベースユニットの構成を示す斜視図である。
【符号の説明】
【００７９】
１  ディスクドライブ装置、  ２  光ディスク、  ３  筐体、  ４  ディスクトレイ  ５  ベースユニット、  ６  下部筐体、  ７  天板、  １５  ディスク装着部、  １６  ディスク回転駆動機構、  １７  光学ピックアップ、  １８  ピックアップ送り機構、  ４１  吸気口、  ４２  排気口、  ４３  防塵フィルタ、  ４４  補強材、  ４５  第１の溝部、  ４６，４７  第２の溝部
【図１】
2005243126.tif 000003
【図２】
2005243126.tif 000004
【図３】
2005243126.tif 000005
【図４】
2005243126.tif 000006
【図５】
2005243126.tif 000007
【図６】
2005243126.tif 000008
【図７】
2005243126.tif 000009
【図８】
2005243126.tif 000010
【図９】
2005243126.tif 000011
【図１０】
2005243126.tif 000012
【図１１】
2005243126.tif 000013
【図１２】
2005243126.tif 000014
【図１３】
2005243126.tif 000015
【図１４】
2005243126.tif 000016
【図１５】
2005243126.tif 000017